(57)【特許請求の範囲】
【請求項１】
ガラス間仕切装置の隣合うガラス板がＬ形を成して連結する為のコーナージョイント部材において、該コーナージョイント部材は内側コーナージョイントと外側コーナージョイントを組合わせて構成され、内側コーナージョイントは互いに垂直をなす両内側側片とコーナーから反対方向へ延びる連結部を有し、外側コーナージョイントは互いに垂直をなす両外側側片とコーナーから同じ側へ延びる被連結部を有し、被連結部を連結部に連結することで内外コーナージョイントが組合され、そして内側コーナージョイント又は外側コーナージョイントの少なくとも一方側には収容空間の開口を側片先端側に形成したシール受けを設けたことを特徴とするガラス間仕切装置のコーナージョイント部材。
【請求項２】
上記シール受けを外側コーナージョイントの両外側側片に設けた請求項１記載のガラス間仕切装置のコーナージョイント部材。
【請求項３】
上記連結部は互いに平行な両連結片を有すと共に間には係合溝を形成し、又被連結部材は先端に係合部を設け、該被連結部を連結部の係合溝に係合すると共に先端係合部を連結片内側に形成したツメに係合した請求項１、又は請求項２記載のガラス間仕切装置のコーナージョイント部材。
【請求項４】
ガラス間仕切装置の隣合うガラス板がＬ形を成して連結する為のコーナージョイント構造において、コーナー部に使用されるコーナージョイント部材は内側コーナージョイントと外側コーナージョイントを組合わせて構成され、内側コーナージョイントは互いに垂直をなす両内側側片とコーナーから反対方向へ延びる連結部を有し、外側コーナージョイントは互いに垂直をなす両外側側片とコーナーから同じ側へ延びる被連結部を有し、被連結部を連結部に連結することで内外コーナージョイントが組合されて嵌合溝を形成し、そして内側コーナージョイント又は外側コーナージョイントの少なくとも一方側にはシール受けを設けと共に、該シール受けに取付けたシール材を内外コーナージョイントの組合せで構成した嵌合溝に嵌ったガラス板の側端面に固着したことを特徴とするガラス間仕切装置のコーナージョイント構造。
【発明の詳細な説明】
【技術分野】
【０００１】
本発明はガラス間仕切を対象とし、このガラス間仕切装置のコーナーに取付けるコーナージョイント部材及びコーナージョイント構造に関するものである。
【背景技術】
【０００２】
大きな建物空間を仕切る為に間仕切り装置が多用されている。間仕切り装置にもその形態は色々あるが、一般的には床レールに配置されたアジャスターにて適度な高さに支えられた巾木にパネルが載って配置され、パネル上端は天井レールに嵌って固定され、そしてパネル側端は床レールから垂直に起立するスタッドに止着されている。止着方法はネジ止めであったり、又ツメを介して引掛ける構造と成っている。
【０００３】
そして該間仕切り装置も使用目的に応じて多種多様化しているが、ガラス板を据付けて構成しているガラス間仕切装置が使用されている。ガラス板を配列して仕切る為に、仕切られた内部空間は外から透明なガラス板を通して見えるようになるが、そのデザインは金属パネルを据付けて構成した間仕切装置に比較して斬新で優雅に見えることから、その需要も多い。
【０００４】
図４は従来の一般的なガラス間仕切装置を示す概略図であり、ガラス板(イ)、(ロ)、(ハ)・・が配列され、ガラス板(ロ)とガラス板(ハ)は互いに垂直をなして連結している。各ガラス板(イ)、(ロ)・・は床面に敷設した床レール(ヘ)に下端が支持され、上端は天井に取付けた天井レール(ト)に嵌って支持されている。そして、各ガラス板(イ)、(ロ)、ガラス板(ハ)、(ニ)、(ホ)の間にはジョイント部材(チ)、(チ)・・が介在して連結され、ガラス板(ロ)、(ハ)の間にはジョイント部材(リ)が介在している。
【０００５】
ところで、ガラス間仕切装置のガラス板(イ)、(ロ)、(ハ)・・のジョイント部材として従来からシール材(ヌ)が用いられて来ている。図５はシール材(ヌ)、(ヌ)・・にてガラス板(イ)、(ロ)、(ハ)・・が連結している断面図であるが、コーナー部ではガラス板(ハ)の端面が直接露出する為に、角に当ってケガをすることが多い。又、強化ガラス板を使用している場合であれば、端面に作用する外力に対して弱く、衝撃がかかることで角が欠けることがある。
【０００６】
そこで、近年では図６に示すコーナージョイント部材(ル)が使用されている。該コーナージョイント部材(ル)には嵌合溝(オ)、(カ)が設けられ、これら嵌合溝(オ)、(カ)は互いに垂直方向に開口し、嵌合溝(オ)にはガラス板(ロ)の側端が嵌り、嵌合溝(カ)にはガラス板(ハ)の側端が嵌っている。すなわち、両ガラス板(ロ)、(ハ)はコーナージョイント部材(ル)を介して互いに垂直を成して連結している。
【０００７】
ところが、ガラス板(ハ)に荷重Ｆが作用する場合、ガラス板(ハ)が撓み変形して同図(ｂ)に示すようにガラス板(ロ)の側端は嵌合溝(オ)から外れる。例えば、体重７０ｋｇの人がガラス板(ハ)に凭れ掛かるならば、約１０ｋｇの荷重がガラス板(ハ)に作用し、ガラス板(ロ)はコーナージョイント部材(ル)の嵌合溝(オ)から離脱してしまう。
【０００８】
一方、ガラス板(イ)、(ロ)、(ハ)・・の縦横寸法は勿論のこと、厚さ寸法も間仕切装置によって変化する。前記図６に示したコーナージョイント部材(ル)に形成される嵌合溝(オ)、(カ)の幅寸法は基本的に一定であり、該嵌合溝(オ)、(カ)を形成する為に内側へ湾曲して延びている側片の撓み変形可能な範囲内では対応できるが、ガラス板(ロ)、(ハ)の厚さが大きく変わる場合には別のコーナージョイント部材(ル)に変更しなくてはならない。すなわち、該コーナージョイント部材(ル)には汎用性がなく、その為に製作コストは高くなり、在庫管理も面倒である。
【０００９】
従来において、ガラス間仕切装置のガラス板の連結構造に関しては特開平９−１７０２７９号に係る「ガラス間仕切りのガラス板取付け構造」、特開２００４−２３２３１１号に係る「二重ガラス間仕切装置」が知られているが、ガラス板がＬ形を成して垂直に連結するコーナージョイント部材に関するものではない。
【特許文献１】特開平９−１７０２７９号に係る「ガラス間仕切りのガラス板取付け構造」
【特許文献２】特開２００４−２３２３１１号に係る「二重ガラス間仕切装置」
【発明の開示】
【発明が解決しようとする課題】
【００１０】
このように、従来のガラス間仕切装置のコーナージョイント部材に関しては上記のごとき問題がある。本発明が解決しようとする課題はこれら問題点であり、ガラス板に凭れ掛かってもガラス板側端が外れることのないコーナージョイント部材及びコーナージョイント構造を提供する。
【課題を解決するための手段】
【００１１】
本発明に係るガラス間仕切装置のコーナージョイント部材は２ピースで構成し、Ｌ形を成して屈曲した内側側片を有す内側コーナージョイントと、同じくＬ形を成して屈曲した外側側片を有す外側コーナージョイントから成っている。そして、内側コーナージョイントのコーナーには内側側片に対して連結部を１３５°を成す方向へ延設し、同じく外側コーナージョイントのコーナーにも被連結部を４５°を成す内方向へ延設している。
【００１２】
上記連結部には被連結部が係合することで内側コーナージョイントと外側コーナージョイントが組合され、上記内側コーナージョイントの内側側片と外側コーナージョイントの外側側片とが対を成して嵌合溝が形成される。該嵌合溝にはガラス板の側端が嵌ることが出来、該嵌合溝の溝幅は連結部と被連結部との係合位置によってガラス板厚に応じて調整される。
【００１３】
そして、本発明のコーナージョイント部材にはシール材受けが設けられ、該シール材受けにはシール材が取付け・固着される。このシール材受けは内側コーナージョン又は外側コーナージョイントの少なくとも何れかに形成され、嵌合溝に嵌るガラス板の側端面にシール材を固着することが出来る位置に設けている。ただし、該シール受けの具体的な断面形状は限定しないことにする。
【発明の効果】
【００１４】
本発明に係るコーナージョイント部材は内側コーナージョイントと外側コーナージョイントが組合されて構成する為に、形成される嵌合溝の溝幅は自由に変更することが可能と成る。従って、ガラス板の厚さが如何ようであっても、側片との間に隙間なくガラス板が嵌り得る。そして、コーナージョイント部材に設けているシール受けにシール材を取付けることが出来、該シール材は嵌合溝に嵌ったガラス板側端面に固着する。
【００１５】
従って、シール材を介して互いにＬ形に配列したガラス板とコーナージョイント部材が連結され、ガラス板が嵌合溝から外れることはない。すなわち、一方のガラス板に凭れ掛かる場合、作用する曲げ応力はガラス板の側端に固着しているシール材及びコーナージョイント部材を介して他方のガラス板を引っ張ることに成り、その結果、凭れ掛かってもガラス板が大きく撓むことはなく、ガラス板側端がコーナージョイント部材の嵌合溝から外れることもない。
【実施例】
【００１６】
図１は本発明に係るコーナージョイント部材の断面を示す実施例であり、図２は該コーナージョイント部材の断面展開図である。本発明のコーナージョイント部材は図２に示すように内側コーナージョイント１と外側コーナージョイント２から成り、互いに組合されることで図１に示すようなコーナージョイント部材を構成している。内側コーナージョイント１は互いに垂直を成す内側側片３ａ，３ｂと連結部４を有した長尺材(押出し材)である。
【００１７】
上記内側側片３ａ，３ｂはその先端部を細くすると共に連結部側へ僅かに湾曲し、該連結部４は両内側側片３ａ，３ｂに対して１３５°の方向へ延び、互いに平行を成す両連結片５ａ，５ｂを有し、連結片５ａ，５ｂの間には係合溝６を形成している。そして、連結片５ａ，５ｂの内面には複数の小さなツメ７，７・・が突出している。
【００１８】
一方の外側コーナージョイント２は互いに垂直を成して延びる外側側片８ａ，８ｂを有し、両外側側片８ａ，８ｂの間には被連結部９を設けた長尺材(押出し材)である。上記外側側片８ａ，８ｂはその先端を細くすると共に、被連結部側へ僅かに湾曲し、被連結部９は外側側片８ａ，８ｂに対して４５°の方向へ延び、先端には三角形断面の係合部１０を形成している。
【００１９】
そして、外側側片８ａ，８ｂの内側にはシール受け１１ａ，１１ｂを設けている。該シール受け１１ａ，１１ｂとはシール材を取付ける部分であり、その形状を限定するものではないが、外側側片８ａ，８ｂの先端側が開口した形状と成っている。すなわち、シール受け１１ａ，１１ｂの収容空間１２ａ，１２ｂにシール材を収容して固着することで、開口からはみ出したシール材は嵌合溝に嵌ったガラス板の側端面に接して固着する。
【００２０】
同図に示すシール受け１１ａ，１１ｂは外側側片８ａ，８ｂからアーム１３ａ，１３ｂを内側へ延ばし、該アーム先端に概略Ｕ形のシール受け１１ａ，１１ｂを形成している。ところで、上記被連結部９を内側コーナージョイント１の連結部４に形成している係合溝６へ挿入することで、外側コーナージョイント２が組合されて前記図１のコーナージョイント部材が構成される。被連結部９の先端係合部１０は係合溝６に設けているツメ７，７に係合することで、外れないように連結される。
【００２１】
図３は内側コーナージョイント１と外側コーナージョイント２とが組合されたコーナージョイント部材の嵌合溝１５ａ，１５ｂにガラス板１４ａ，１４ｂの側端を嵌めた場合を示している。連結部４と被連結部９との係合位置関係によって、嵌合溝１４ａ，１４ｂの溝幅は自由に調整することが出来るために、内側側片３ａ，３ｂ及び外側側片８ａ，８ｂの先端部はガラス板１４ａ，１４ｂの表面に接してガタ付かないように拘束することが出来る。
【００２２】
そして、シール受け１１ａ，１１ｂにはシール材１６ａ，１６ｂが取付けられて固着し、同時に嵌合溝１５ａ，１５ｂに嵌ったガラス板１４ａ，１４ｂの側端面１７ａ，１７ｂに固着する。従って、両ガラス板１４ａ，１４ｂはコーナージョイント部材を介して互いに連結される。そこで、例えばガラス板１４ａに人が凭れ掛かる場合、該ガラス板１４ａには曲げ応力が作用するが、その応力は側端面に固着したシール材１６ａを介してコーナージョイント部材に伝わり、そしてシール材１６ｂから他方のガラス板１４ｂへ伝達される。すなわち、ガラス板１４ａの曲げ応力は引張り応力と成ってガラス板１４ｂに作用し、その結果、該ガラス板１４ａの撓み変形を抑制する。
【図面の簡単な説明】
【００２３】
【図１】本発明に係るコーナージョイント部材の断面図。
【図２】本発明のコーナージョイント部材の断面展開図。
【図３】コーナージョイント部材を介してガラス板を連結した場合。
【図４】ガラス間仕切装置の外観図。
【図５】ガラス間仕切装置における従来のガラス板連結構造。
【図６】ガラス間仕切装置における従来のガラス板連結構造。
【符号の説明】
【００２４】
１  内側コーナージョイント
２  外側コーナージョイント
３  内側側片
４  連結部
５  連結片
６  係合溝
７  ツメ
８  外側側片
９  被連結部
10  係合部
11  シール受け
12  収容空間
13  アーム
14  ガラス板
15  嵌合溝
16  シール材
17  側端面
【図１】
0004552195.tif 000002
【図２】
0004552195.tif 000003
【図３】
0004552195.tif 000004
【図４】
0004552195.tif 000005
【図５】
0004552195.tif 000006
【図６】
0004552195.tif 000007